(57)【要約】【課題】釣糸を確実に掛止できるとともに、釣糸の付け外しを簡単かつ迅速に行なうことのできる釣糸止め具および釣糸止め構造が望まれている。【解決手段】釣糸止め具１は、第１釣糸がつながれる止め具本体と、弾性線材９を１回半巻回してコイル状に形成された釣糸掛止部３とを備え、釣糸掛止部３を成す弾性線材９の一端部９ａを止め具本体のサルカン本体４に連結するとともに、釣糸掛止部３における隣り合った弾性線材９ｃ，９ｄ間で、コブ部付きの第２釣糸を掛止するようになっている。弾性線材９の一端部９ａに他端部９ｂを固定することにより、第２釣糸およびコブ部を通過可能な第２釣糸挿通空間１２が形成されている。【選択図】図３
2007189967.tif 000002
【特許請求の範囲】
【請求項１】
第１釣糸がつながれる止め具本体と、弾性線材を少なくとも１回半巻回してコイル状に形成された釣糸掛止部とを備え、該釣糸掛止部を成す弾性線材の一端部を前記止め具本体に連結するとともに、釣糸掛止部における隣り合った弾性線材間で、コブ部付きの第２釣糸を掛止する構成としたことを特徴とする釣糸止め具。
【請求項２】
止め具本体に連結された弾性線材の一端部に弾性線材の他端部を固定することにより、弾性線材の一端部、釣糸掛止部、および弾性線材の他端部により囲まれて第２釣糸およびコブ部を通過可能な第２釣糸挿通空間を形成した請求項１に記載の釣糸止め具。
【請求項３】
釣糸掛止部における隣り合った弾性線材間に、第２釣糸のコブ部の外径よりも狭い幅の隙間を設けてなる請求項１または請求項２に記載の釣糸止め具。
【請求項４】
釣糸掛止部における隣り合った弾性線材の一方または双方に、他方の弾性線材から離間する方向に湾曲した湾曲部を設けてなる請求項１から請求項３のいずれか一項に記載の釣糸止め具。
【請求項５】
釣糸本体とコブ部とが一体に構成された第２釣糸を用いる請求項１から請求項４のいずれか一項に記載の釣糸止め具。
【請求項６】
請求項１から請求項５のいずれか一項に記載の釣糸止め具の釣糸掛止部における隣り合った弾性線材間に第２釣糸を挿入し、釣糸掛止部の内周面で第２釣糸のコブ部を掛止させたことを特徴とする釣糸止め構造。
【発明の詳細な説明】
【技術分野】
【０００１】
本発明は、釣糸をつなぐ釣糸止め具およびこれを用いた釣糸止め構造に関するものである。
【背景技術】
【０００２】
従来、この種の釣糸止め具としては例えば図１１に示すものが知られている。図示の釣糸止め具５１は、釣針５５が下端部に取り付けられたサルカン本体５２と、サルカン本体５２の上端部に連結された釣糸掛止部５３とを備えている。釣糸掛止部５３は、金属線で形成されたリング状体の一部分を先細状に折り曲げて形成されている。この釣糸止め具５１では、釣糸掛止部５３の釣糸挿通空間５４に釣糸５６およびコブ部５７が通され、釣糸掛止部５３で釣糸５６が挟持されコブ部５７が抜け止め掛止されるようになっている。かかる構造の釣糸止め具５１は例えば下記の特許文献１に記載されている。
【０００３】
【特許文献１】特開２００１−１６１２３９号公報
【発明の開示】
【発明が解決しようとする課題】
【０００４】
前記従来の釣糸止め具５１は釣糸掛止部５３がリング状体の一部を周方向に折り曲げ密着させて形成されており、釣糸５６を繰り返し付け外すことは推奨されていない。これは、釣糸５６の付け外しを繰り返すと、釣糸掛止部５３を成す金属線間が広がるためである。そうなると、せっかく挟持した釣糸５６が釣糸掛止部５３から外れて、釣糸５６が釣糸止め具５１から離脱することとなる。これを回避するために、釣糸掛止部５３を比較的硬い線材で構成したとしても、挟持力が過度に大きくなって釣糸５６に好ましくない塑性変形や切断を引き起こすおそれがあり、付け外しも困難となる。
【０００５】
本発明は、上記した従来の問題点に鑑みてなされたものであって、釣糸を確実に掛止できるとともに、釣糸の付け外しを簡単かつ迅速に行なうことのできる釣糸止め具および釣糸止め構造の提供を目的とする。
【課題を解決するための手段】
【０００６】
上記目的を達成するために、本発明に係る釣糸止め具は、第１釣糸がつながれる止め具本体と、弾性線材を少なくとも１回半巻回してコイル状に形成された釣糸掛止部とを備え、該釣糸掛止部を成す弾性線材の一端部を前記止め具本体に連結するとともに、釣糸掛止部における隣り合った弾性線材間で、コブ部付きの第２釣糸を掛止する構成にしてある。
【０００７】
また、前記構成において、止め具本体に連結された弾性線材の一端部に弾性線材の他端部を固定することにより、弾性線材の一端部、釣糸掛止部、および弾性線材の他端部により囲まれて第２釣糸およびコブ部を通過可能な第２釣糸挿通空間を形成したものである。
【０００８】
そして、前記した各構成において、釣糸掛止部における隣り合った弾性線材間に、第２釣糸のコブ部の外径よりも狭い幅の隙間を設けてなるものである。
【０００９】
更に、前記した各構成において、釣糸掛止部における隣り合った弾性線材の一方または双方に、他方の弾性線材から離間する方向に湾曲した湾曲部を設けてなるものである。
【００１０】
また、前記した各構成において、釣糸本体とコブ部とが一体に構成された第２釣糸を用いるものである。
【００１１】
そして、本発明に係る釣糸止め具構造は、請求項１から請求項５のいずれか一項に記載の釣糸止め具の釣糸掛止部における隣り合った弾性線材間に第２釣糸を挿入し、釣糸掛止部の内周面で第２釣糸のコブ部を掛止させたものである。
【発明の効果】
【００１２】
本発明に係る釣糸止め具および釣糸止め具を用いた釣糸止め構造によれば、コイル状に形成された釣糸掛止部の隣り合った弾性線材間に、コイル周方向に沿って第２釣糸が挿入され、コイル状の釣糸掛止部の内周面で第２釣糸のコブ部が掛止されるので、弾性線材間への第２釣糸の挿脱が容易であり、第２釣糸の掛止を確実に行なうことができる。
【００１３】
また、止め具本体に連結された弾性線材の一端部に弾性線材の他端部を固定することにより、遊動状に突出した状態となった弾性線材の他端部や、釣糸掛止部の一端部とコイル状部との開放された境目が存在しないので、それらの部分に第２釣糸や第１釣糸が無用に引っ掛かることを防止できる。
【００１４】
そして、釣糸掛止部における隣り合った弾性線材間に、第２釣糸のコブ部の外径よりも狭い幅の隙間を設けた場合は、弾性線材間への第２釣糸の挿脱をいっそう容易に行なえるうえ、隣り合う弾性線材による挟持力が小さくなったり、あるいは挟持自体がなくなるため、第２釣糸の掛止部での強度低下や切断を解消することができる。
【００１５】
更に、釣糸掛止部の隣り合った弾性線材の一方または双方に、他方の弾性線材から離間する方向に湾曲した湾曲部を設けた場合は、湾曲部の位置において、弾性線材による挟持力が小さくなったり、あるいは挟持自体がなくなるのは無論のこと、コイル状の釣糸掛止部の周方向所定位置で第２釣糸を位置決め掛止することができる。
【００１６】
また、釣糸本体とコブ部とが一体に構成された第２釣糸は、糸結びによるコブ部を形成した第２釣糸のような糸結び時の曲げ歪みを受けないために比較的強度が高い。加えて、コブ部の外観がシンプルであり指先で取り扱いしやすい。
【発明を実施するための最良の形態】
【００１７】
本発明の最良の実施形態を図面に基づいて説明する。尚、以下に述べる実施形態は本発明を具体化した一例に過ぎず、本発明の技術的範囲を限定するものでない。ここに、図１は本発明の一実施形態に係る釣糸止め具の斜視図、図２は前記釣糸止め具の側面図、図３は前記釣糸止め具の部分縦断面図、図４は前記釣糸止め具を用いた釣糸止め構造を示す正面図である。
各図において、この実施形態に係る釣糸止め具１は、道糸１８（図６参照、第１釣糸の一例）がつながれる止め具本体２と、止め具本体２に連結されていてハリス１５（図４参照、第２釣糸の一例）を掛止するための釣糸掛止部３とから成っている。
【００１８】
止め具本体２は、３つの貫通穴６，６，６を有する円筒状のサルカン本体４と、サルカン本体４の２つの貫通穴６，６に回動自在に軸支された２つの止め環５，５とから成っている。各止め環５はそれぞれ道糸１８などがつながれるものであり、貫通穴６よりも大径である一端側の頭部７がサルカン本体４の内側に配されてサルカン本体４から抜け落ちないようになっている。サルカン本体４の残り１つの貫通穴６には、釣糸掛止部３を構成する弾性線材９の一端部９ａが回動自在に軸支されている。弾性線材９の一端部９ａも、貫通穴６より大径である頭部８がサルカン本体４の内側に配されてサルカン本体４から抜け落ちないようになっている。このようにして弾性線材９の一端部９ａが止め具本体２に連結されている。この例において、弾性線材９は比較的軟質で弾性を有する例えば１８−８ステンレス鋼線で構成してある。但し、外部からの荷重により変形しても元の形状に戻ろうと弾性変形する材料であれば、前記の１８−８ステンレス鋼線以外の材料、例えばチタン合金などで弾性線材９を構成してもよい。
【００１９】
釣糸掛止部３の弾性線材９は途中で１回半巻き回されてコイル状部が形成されている。このコイル状部は正面視略円形のコイル内空間１１を有している。コイル内空間１１は、当該空間内に、後述するハリス１５のコブ部１６を収容できる大きさに形成されている。また、コイル状部においてコイル心Ｎ方向に隣り合う弾性線材９ｃ，９ｄは自身のバネ弾性力によりコイル心Ｎ方向に互いに密着している。かかるバネ弾性力は、弾性線材９ｃ，９ｄ間へのハリス１５の挿入力に屈し、かつ、挟持したハリス１５を切断させない程度に設定されている。
【００２０】
弾性線材９の他端部９ｂは、サルカン本体４に連結された一端部９ａに巻き付けられて固定されている。これにより、弾性線材９の一端部９ａ、釣糸掛止部３、および弾性線材９の他端部９ｂにより囲まれた第２釣糸挿通空間１２が形成される。第２釣糸挿通空間１２はハリス１５およびコブ部１６を通し得る大きさに設定されている。他端部９ｂの巻き付け部分は熱可塑性樹脂からなる筒状の被覆材１０で被覆されて露出しないようになっている。
上記したハリス１５の先端部には釣針１７が結び付けられている。コブ部１６はハリス１５の末端部を結んで形成されている。前記したハリス１５の太さ、材質は限定されるものでない。因みに、太さ１号（小アジ、小サバ、鮎釣尻針用など）から３０号（カンパチ、マグロ、カツオ用など）程度のハリスが好適に使用される。
【００２１】
上記した構成の釣糸止め具１にハリス１５を止めるに際しては、図５（ａ）に示すように、一方の手（例えば左手）で釣糸掛止部３の被覆材１０などを持ち、他方の手（例えば右手）でハリス１５の末端側を持ち、釣糸掛止部３の第２釣糸挿通空間１２にハリス１５のコブ部１６を通す（矢印Ｆ方向）。
次に、図５（ｂ）に示すように、第２釣糸挿通空間１２を通ったコブ部１６を一方の手の指で押し下げ第２釣糸挿通空間１２の弾性線材９上で折り曲げておき（矢印Ｇ方向）、他方の手でハリス１５を張らせておく。その状態で、ハリス１５を弾性線材９上で滑らせて、釣糸掛止部３のコイル状部から弾性線材９の一端部または他端部が離れる部位である離間部２５まで移動させる（矢印Ｈ方向）。
更にハリス１５を矢印Ｈ方向に移動させると、ハリス１５の末端部が、コイル状部の隣り合う弾性線材９ｃ，９ｄを押し広げて（図３の矢印１３，１４参照）弾性線材９ｃ，９ｄ間に入り込みコイル周方向に摺動する。
【００２２】
続いて、図５（ｃ）に示すように、ハリス１５をコイル径方向外向き（矢印Ｉ方向）に引くと、弾性線材９ｃ，９ｄ間に挟まれているハリス１５がハリス長手方向に摺動し、ハリス１５のコブ部１６が弾性線材９ｃ，９ｄにおけるコイル内空間１１の内周面９ｅに当接して掛止されるのである。すなわち、釣糸掛止部３における隣り合った弾性線材９ｃ，９ｄ間にハリス１５を挿入し、釣糸掛止部３の内周面９ｅでコブ部１６付きのハリス１５を掛止させてなる釣糸止め構造ができあがるのである。因みに、コブ部１６を第２釣糸挿通空間１２に挿通してから弾性線材９ｃ，９ｄの内周面９ｅで掛止させるまでにかかった時間は概ね１秒間である。
一方、ハリス１５を釣糸止め具１から外す際は、張った状態にしたハリス１５を釣糸掛止部３の周方向に沿わせ離間部２５に向けて移動させる。ハリス１５が離間部２５に達すると、コブ部１６はコイル内空間１１から第２釣糸挿通空間１２へと移動しており、その後第２釣糸挿通空間１２から支障なく抜き出される。かかるハリス１５の取り外し時間は１秒足らずである。
【００２３】
上記したように、本実施形態に係る釣糸止め具１では、隣り合った弾性線材９ｃ，９ｄ間にそれらの周方向にハリス１５を滑らせて装着・離脱させるので、釣糸掛止部３へのハリス１５の付け外しを簡単かつ迅速に行なうことができる。また、弾性線材９ｃ，９ｄの内周面９ｅでハリス１５のコブ部１６がコイル径方向に掛止されるので、ハリス１５を確実に掛止することができる。そして、掛止されたハリス１５は、サルカン本体４に連結された弾性線材９の一端部９ａおよび被覆材１０とほぼ同軸心にまっすぐ延びているので、魚信による引っ張り荷重を受けても切れにくい。コブ部１６はコイル内空間１１内に収まっているので、ハリス１５や道糸１８がコブ部１６に引っ掛かりにくい。
また、止め具本体２に連結された弾性線材９の一端部９ａに他端部９ｂが固定されているので、遊動状に突出した状態となった弾性線材９の他端部や、釣糸掛止部３の一端部とコイル状部との開放された境目（図４に示した離間部２５の位置）が存在しないことから、これらの部位にハリス１５や道糸１８が無用に引っ掛かることを防止できる。更に、弾性線材９の一端部９ａに固定された他端部９ｂは被覆材１０で被覆されているので、ハリス１５や道糸１８の引っ掛かりをいっそう確実に防ぐことができる。
【００２４】
上記の釣糸止め具１は、例えば図６に示すような天秤仕掛けに好適に使用される。この天秤仕掛けでは、多数の釣り客が乗り合う乗合船から垂らされた１００〜２００ｍの道糸１８の先端に、２つの餌籠１９，１９、天秤２０、および錘２１がつながれている。天秤２０の遊動端には、クッションゴム２２および撚り戻し２３がつながれている。そして、撚り戻し２３の先端に、道糸１８（第１釣糸）、釣糸止め具１、道糸１８（第１釣糸）、釣糸止め具１、道糸１８（第１釣糸）、および釣糸止め具１ｄ（図１０（ｂ）参照）が当該順で連結されている。各釣糸止め具１，１ｄの釣糸掛止部３には、それぞれ釣針１７付きのハリス１５が掛止されている。かかる天秤仕掛けは他人の仕掛けと絡まることが多々ある。その場合は、釣針１７付きのハリス１５の存在により絡まり度合いが複雑になったり釣針１７が刺さる不安もあって、仕掛け同士の絡まりを容易に解きにくいことが多い。しかしながら、釣糸止め具１，１ｄによればハリス１５を容易に外せるので、釣針１７の無い状態で、絡まった仕掛けを不安なく解くことができる。その後、釣針１７付のハリス１５を簡単に取り付けて元の仕掛け状態に迅速に戻せるのである。尚、これらの釣糸止め具１，１ｄは前記した天秤仕掛け以外に、いわゆるフカセ釣り仕掛け、胴付き仕掛け、その他の仕掛けに使用することも可能である。
【００２５】
尚、上記の実施形態では、釣糸掛止部３にハリス１５を掛止させていない状態において隣り合う弾性線材９ｃ，９ｄがコイル心Ｎ方向に密着している釣糸止め具１の例を示したが、本発明はそれに限定されるものでない。例えば、図７に示すように、釣糸掛止部３ａの隣り合った弾性線材９ｃ，９ｄ間にハリス１５のコブ部１６の外径Ｂよりも狭い幅Ｃの隙間２４を予め設けて成る釣糸止め具１ａも、本発明に含まれる。また、隙間２４の幅Ｃはハリス１５の外径より大きくてよいし、いくぶん小さくても構わない。
かかる釣糸止め具１ａにおいては、ハリス１５が過度に強い挟持力を受けにくいため、弾性線材９ｃ，９ｄ間へのハリス１５の挿脱をいっそう円滑に行なうことができるうえ、弾性線材９ｃ，９ｄによる挟持力が小さくなったり、あるいは挟持自体がなくなるため、ハリス１５の挟持部分での好ましくない塑性変形や分断を防ぐことができる。
【００２６】
次に、図８および図９に示した釣糸止め具１ｂは、基本的構成が前述の釣糸止め具１ａとほぼ同じであるが、釣糸掛止部３ｂのコイル状部において隣り合う弾性線材９，９の双方に、他方の弾性線材から互いに離間する方向（この例ではコイル心に沿う方向）に湾曲した湾曲部９ｆ，９ｇが形成されている点で異なっている。湾曲部９ｆ，９ｇ間は、コブ部１６ａの外径Ｂよりも狭い幅Ｃの隙間２４ａが形成されている。尚、隙間２４ａの幅Ｃはハリス１５の末端部の外径よりも大きく設定されており、ハリス１５が隙間２４ａ内で自由に移動できるようになっている。また、湾曲部９ｆ，９ｇの左右両側位置において、隣り合った弾性線材９，９間はハリス１５の外径よりも小さな幅に設定されており、隙間２４ａ内に収容されたハリス１５が隙間２４ａから簡単には抜け出ないようになっている。
この釣糸留め具１ｂでは、湾曲部９ｆ，９ｇの内面間の隙間２４ａにおいて弾性線材９，９による挟持がないため、ハリス１５が隙間２４ａ内に留まりやすくなる。従って、釣糸掛止部３におけるコイル状部の周方向所望の位置に設けた湾曲部９ｆ，９ｇでハリス１５を位置決め掛止することができる。
【００２７】
尚、隣り合った弾性線材９，９の一方のみに、他方の弾性線材９から離間する方向に湾曲した湾曲部９ｆまたは９ｇを形成し、他方の弾性線材９を先の実施形態で例示した釣糸掛止部３の弾性線条９ｄまたは９ｃのように側面視直線状に形成しても構わない。その場合でも、湾曲部９ｆまたは９ｇと直線状の弾性線条９ｄまたは９ｃとの隙間２４ａの幅Ｃはコブ部１６ａの外径Ｂよりも狭く設定しておく。
【００２８】
この実施形態では、釣糸本体１５ａとコブ部１６ａとが一体に構成されたハリス１５（第２釣糸）が使用されている。かかるハリス１５は溶融ポリアミドを金型で成型して形成される。
このハリス１５は、釣糸本体１５ａとコブ部１６ａとが一体に構成されているので、糸結び時に曲げ歪みを受ける糸結びによるコブ部を形成したハリスと比べて比較的強度が高い。釣糸本体１５ａはコブ部１６ａに近づくほど太くなるテーパ状となっていることにより更なる強度の向上化が図られている。加えて、コブ部の外観がシンプルで指先での取り扱いがしやすい。尚、このように釣糸本体１５ａとコブ部１６ａとが一体に構成されたハリスを、上記した釣糸止め具１，１ａや後述する釣糸止め具１ｃ，１ｄに第２釣糸として使用できることは言うまでもない。
【００２９】
そして、図１０（ａ）に示すような、２つの釣糸掛止部３，３と１つの止め環５がサルカン本体４に連結されてなる三つ又の釣糸止め具１ｃや、図１０（ｂ）に示すような、それぞれ１つの釣糸掛止部３と止め環５がサルカン本体４に連結されてなる二又の釣糸止め具１ｄも、本発明に含まれる。
【００３０】
また、本発明に係る釣糸掛止部は、弾性線材を１回半の巻き回数を超えてコイル状に巻回したものでも構わない。そして、本発明は弾性線材の他端部を一端部に必ずしも固定しなければならないものでなく、弾性線材の他端部を遊動状に放置しておいたものも含まれる。
【００３１】
また、コイル心方向に見た釣糸掛止部のコイル形状は自由であって上記の円形に限るものでなく、例えば逆三角形、三角以上の多角形、楕円形、星型その他のコイル形状を採用することができる。そして、第１釣糸の種類は道糸やハリスなどを問わず、素材もナイロン（ポリアミド）糸、フロロカーボン糸、細スチール線、天然繊維糸その他を用いることができる。同様に、第２釣糸も道糸やハリスなどを問わず、ナイロン（ポリアミド）糸、フロロカーボン糸、細スチール線、天然繊維糸その他を用いることができる。
【図面の簡単な説明】
【００３２】
【図１】本発明の一実施形態に係る釣糸止め具の斜視図である。
【図２】前記釣糸止め具の側面図である。
【図３】前記釣糸止め具の部分縦断面図である。
【図４】前記釣糸止め具を用いた釣糸止め構造を示す正面図である。
【図５】（ａ）〜（ｃ）は前記釣糸止め具に釣糸を止める態様を順に示す図である。
【図６】前記釣糸止め具を用いた天秤仕掛けの例を示す態様図である。
【図７】本発明の別の実施形態に係る釣糸止め具の部分縦断面図である。
【図８】本発明の更に別の実施形態に係る釣糸止め具を斜め下から見上げた斜視図である。
【図９】前記更に別の実施形態に係る釣糸止め具を示す図であって、（ａ）は部分底面図、（ｂ）は（ａ）におけるＡ−Ａ線部分断面図である。
【図１０】（ａ）は本発明の他の実施形態に係る釣糸止め具の正面図、（ｂ）は本発明の更に他の実施形態に係る釣糸止め具の正面図である。
【図１１】従来の釣糸止め具の一部断面を含む正面図である。
【符号の説明】
【００３３】
１，１ａ，１ｂ，１ｃ，１ｄ  釣糸止め具
２    止め具本体
３，３ａ，３ｂ  釣糸掛止部
９，９ｃ，９ｄ  弾性線材
９ａ  一端部
９ｂ  他端部
９ｅ  内周面
９ｆ，９ｇ  湾曲部
１２  第２釣糸挿通空間
１５  ハリス（第２釣糸）
１５ａ  釣糸本体
１６，１６ａ  コブ部
１８  道糸（第１釣糸）
２４，２４ａ  隙間
Ｂ  外径
Ｃ  幅  ｖ
【図１】
2007189967.tif 000003
【図２】
2007189967.tif 000004
【図３】
2007189967.tif 000005
【図４】
2007189967.tif 000006
【図５】
2007189967.tif 000007
【図６】
2007189967.tif 000008
【図７】
2007189967.tif 000009
【図８】
2007189967.tif 000010
【図９】
2007189967.tif 000011
【図１０】
2007189967.tif 000012
【図１１】
2007189967.tif 000013